【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
（Ａ）ポリマー支持体、及び
（Ｂ）
ｉ）
（ａ）ニトロキシル安定剤、
（ｂ）ヒドロキシルアミン安定剤、
（ｃ）ニトロン安定剤、
（ｄ）次式
【化１】
2004526837.tif 000001
（式中、Ｔ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表わし；
Ｔ2は水素原子を表わすか、又は独立して、Ｔ1と同じ意味を有し；
Ｔ3はアリル基、炭素原子数１ないし３６の直鎖もしくは枝分かれ鎖アルキル基、炭素原子数５ないし１８のシクロアルキル基、炭素原子数５ないし１８のシクロアルケニル基、又は、フェニル基によって、又は１もしくは２個の炭素原子数１ないし４のアルキル基で又は１もしくは２個のハロゲン原子で置換されたフェニル基によって置換された炭素原子数１ないし４の直鎖もしくは枝分かれ鎖アルキル基を表わす。）で表わされる置換ヒドロキシルアミン安定剤、
（ｅ）アミンオキシド安定剤、
（ｆ）ベンゾフラノン安定剤、
（ｇ）ホスフィット及びホスホナイト安定剤、
（ｈ）キノンメチド安定剤及び
（ｊ）２，２’−アルキリデンビスフェノール安定剤のモノアクリレートエステルからなる群から選択される化合物の少なくとも一つ及び
ｉｉ）臭素化難燃剤、燐含有難燃剤及び無機難燃剤からなる群から選択される化合物の少なくとも一つ
の相乗混合物の有効な難燃化量
を含む難燃性組成物。
【請求項２】
相乗混合物（Ｂ）の成分（ｉ．）が、
ａ）次式
【化２】
2004526837.tif 000002
で表わされるニトロキシル安定剤、又は次式
【化３】
2004526837.tif 000003
（式中、各Ｒは、炭素原子数１ないし４のアルキル基を表わし、及びＴは、５−又は６−員環を完成させるために必要な基を表わす。）で表わされる基を一つ又はそれ以上含むニトロキシル安定剤；
ｂ）式（Ｉ）
【化４】
2004526837.tif 000004
（式中、Ｔ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；及び
Ｔ2は水素原子を表わすか、又は独立して、Ｔ1と同じ意味を有する。）で表わされるヒドロキシルアミン安定剤、又は式（ＩＩ）
【化５】
2004526837.tif 000005
（式中、Ｔは５−又は６−員環を形成する基を表わし；及び
Ｒ1及びＲ2は、独立して水素原子、炭素原子数１ないし４のアルキル基又はフェニル基を表わす。）で表わされる基を１個又はそれ以上含有するヒドロキシルアミン安定剤；
ｃ）式（ＩＩＩ）
【化６】
2004526837.tif 000006
（式中、Ｌ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；
Ｌ2及びＬ3は、独立して水素原子、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表すか；
又は、Ｌ1及びＬ2は一緒になって、窒素原子を含む５−又は６−員環を形成する。）で表わされるニトロン安定剤；
ｄ）式（ＩＩＩｂ）又は式（ＩＩＩａ）
【化７】
2004526837.tif 000007
（式中、Ｔ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；
Ｔ2は水素原子を表わすか、又は独立して、Ｔ1と同じ意味を有し；及び
Ｔ3はアリル基、炭素原子数１ないし３６の直鎖もしくは枝分かれ鎖アルキル基、炭素原子数５ないし１８のシクロアルキル基、炭素原子数５ないし１８のシクロアルケニル基、又は、フェニル基によって、又は１もしくは２個の炭素原子数１ないし４のアルキル基で又は１もしくは２個のハロゲン原子で置換されたフェニル基によって置換された炭素原子数１ないし４の直鎖もしくは枝分かれ鎖アルキル基を表わす。）で表わされるヒドロキシルアミン安定剤；
ｅ）式（ＶＩＩ）
【化８】
2004526837.tif 000008
［式中、Ｇ1及びＧ2は独立して、炭素原子数６ないし３６の直鎖もしくは枝分かれ鎖アルキル基、炭素原子数６ないし１２のアリール基、炭素原子数７ないし３６のアラルキル基、炭素原子数７ないし３６のアルカリル基、炭素原子数５ないし３６のシクロアルキル基、炭素原子数６ないし３６のアルクシクロアルキル基（ａｌｋｃｙｃｌｏａｌｋｙｌ）又は炭素原子数６ないし３６のシクロアルキルアルキル基を表わし；
Ｇ3は、炭素原子数１ないし３６の直鎖もしくは枝分かれ鎖アルキル基、炭素原子数６ないし１２のアリール基、炭素原子数７ないし３６のアラルキル基、炭素原子数７ないし３
６のアルカリル基、炭素原子数５ないし３６のシクロアルキル基、炭素原子数６ないし３６のアルクシクロアルキル基（ａｌｋｃｙｃｌｏａｌｋｙｌ）又は炭素原子数６ないし３６のシクロアルキルアルキル基を表わし；及び
前記アリール基は、１ないし３個のハロゲン原子、炭素原子数１ないし８のアルキル基、炭素原子数１ないし８のアルコキシ基又はそれらの組合せによって置換され得；
前記アルキル基、アラルキル基、アルカリル基、シクロアルキル基、アルクシクロアルキル基（ａｌｋｃｙｃｌｏａｌｋｙｌ）及びシクロアルキルアルキル基は、−Ｏ−、−Ｓ−、−ＳＯ−、−ＳＯ2−、−ＣＯＯ−，−ＯＣＯ−，−ＣＯ−，−ＮＧ4−，−ＣＯＮＧ4−及び−ＮＧ4ＣＯ−基によって中断され得るか、又は前記アルキル基、アラルキル基、アルカリル基、シクロアルキル基、アルクシクロアルキル基（ａｌｋｃｙｃｌｏａｌｋｙｌ）及びシクロアルキルアルキル基は、−ＯＧ4、−ＳＧ4、−ＣＯＯＧ4、−ＯＣＯＧ4、−ＣＯＧ4、−Ｎ（Ｇ4）2、−ＣＯＮ（Ｇ4）2、−ＮＧ4ＣＯＧ4及び、−Ｃ（ＣH3）（ＣH2ＲX）ＮＬ（ＣH2ＲX）（ＣH3）Ｃ−基を含む５−及び６−員環によって置換され得るか、又は前記アルキル基、アラルキル基、アルカリル基、シクロアルキル基、アルクシクロアルキル基（ａｌｋｃｙｃｌｏａｌｋｙｌ）及びシクロアルキルアルキル基は、上記の基によって中断及び置換の両方がなされ；
Ｇ4は独立して、水素原子又は炭素原子数１ないし８のアルキル基を表わし；
ＲXは水素原子又はメチル基を表わし；
Ｌは、水素原子、ヒドロキシ基、炭素原子数１ないし３０の直鎖又は枝分かれ鎖アルキル部分、−Ｃ（Ｏ)Ｒ部分（式中、Ｒは炭素原子数１ないし３０の直鎖又は枝分かれ鎖アルキル基を表す。)又は−ＯＲy部分を表わし；
Ｒyは、炭素原子数１ないし３０の直鎖又は枝分かれ鎖アルキル基、炭素原子数２ないし３０のアルケニル基、炭素原子数２ないし３０のアルキニル基、炭素原子数５ないし１２のシクロアルキル基、炭素原子数６ないし１０のビシクロアルキル基、炭素原子数５ないし８のシクロアルケニル基、炭素原子数６ないし１０のアリール基、炭素原子数７ないし９のアラルキル基、アルキル基又はアリール基によって置換された炭素原子数７ないし９のアラルキル基、又はＣＯ（Ｄ）（式中、Ｄは、炭素原子数１ないし１８のアルキル基、炭素原子数１ないし１８のアルコキシ基、フェニル基、ヒドロキシ基によって、アルキル基によってもしくはアルコキシ基によって置換されたフェニル基、又はアミノ基、又はアルキル基もしくはフェニル基によって一もしくは二置換されたアミノ基を表わす。）を表わす。］で表わされるアミンオキシド安定剤；
ｆ）ベンゾフラノン安定剤；
ｇ）式（１）、（２）、（３）、（４）、（５）、（６）及び（７）
【化９】
2004526837.tif 000009
［式中、指数は整数であり、
ｎは、２、３又は４を表わし；ｐは１又は２を表わし；ｑは、２又は３を表わし；ｒは４ないし１２を表わし；ｙは１、２又は３を表わし；及びｚは１ないし６を表わし；
もしもｎが２を表わす場合、Ａ1は炭素原子数２ないし１８のアルキレン基；酸素原子、硫黄原子又は−ＮＲ4−によって中断された炭素原子数２ないし１２のアルキレン基；次式
【化１０】
2004526837.tif 000010
で表わされる基又はフェニレン基を表わし、
もしもｎが３を表わす場合、Ａ1は式−ＣrＨ2r-1−で表わされる基を表わし；
もしもｎが４を表わす場合、Ａ1は
【化１１】
2004526837.tif 000011
を表わし；
もしもｎが２を表わす場合、Ａ2はＡ1で定義した通りであり；
Ｂは直接結合、−ＣＨ2−、−ＣＨＲ4−、−ＣＲ11Ｒ4−、硫黄原子、炭素原子数５ないし７のシクロアルキリデン基、又は３、４及び／又は５位が１ないし４個の炭素原子数１ないし４のアルキル基によって置換されたシクロヘキシリデン基を表わし；
もしもｐが１を表わす場合、Ｄ1は炭素原子数１ないし４の アルキル基を表わし、もしもｐが２を表わす場合、Ｄ1は−ＣＨ2ＯＣＨ2−を表わし；
もしもｐが１を表わす場合、Ｄ2は炭素原子数１ないし４の アルキル基を表わし；
もしもｙが１を表わす場合、Ｅは炭素原子数１ないし１８のアルキル基、−ＯＲ11又はハロゲン原子を表わし；
もしもｙが２を表わす場合、Ｅは−Ｏ−Ａ2−Ｏ−を表わし、
もしもｙが３を表わす場合、Ｅは式Ｒ4Ｃ（ＣＨ2Ｏ−）3又はＮ（ＣＨ2ＣＨ2Ｏ−）3で表わされる基を表わし；
Ｑは少なくともｚ価のアルコール又はフェノールの基を表わし、この基は、酸素原子を介して燐原子に結合しており；
Ｒ11、Ｒ12及びＲ3は、互いに独立して、未置換か又はハロゲン原子、−ＣＯＯＲ4、−ＣＮ又は−ＣＯＮＲ4Ｒ4によって置換された炭素原子数１ないし１８のアルキル基；酸素原子、硫黄原子又は−ＮＲ4−によって中断された炭素原子数２ないし１８のアルキル基；
炭素原子数７ないし９のフェニルアルキル基；炭素原子数５ないし１２のシクロアルキル基、フェニル基又はナフチル基；ハロゲン原子、１ないし３個のアルキル基、又は合計１ないし１８個の炭素原子を有するアルコキシ基によって、又は炭素原子数７ないし９のフェニルアルキル基によって置換されたナフチル基又はフェニル基；又は次式
【化１２】
2004526837.tif 000012
（式中、ｍは３ないし６の範囲の整数を表わす。）で表わされる基を表わし；
Ｒ4は水素原子、炭素原子数１ないし１８のアルキル基、炭素原子数５ないし１２のシクロアルキル基又は炭素原子数７ないし９のフェニルアルキル基を表わし、
Ｒ5及びＲ6は互いに独立して、水素原子、炭素原子数１ないし８のアルキル基又は炭素原子数５ないし６のシクロアルキル基を表わし、
もしもqが２を表わす場合、Ｒ7及びＲ8は互いに独立して、炭素原子数１ないし４のアルキル基を表わすか、又は一緒になって、２，３−デヒドロペンタメチレン基を表わし；
もしもqが３を表わす場合、Ｒ7及びＲ8はメチル基を表わし；及び
Ｒ14は水素原子、炭素原子数１ないし９のアルキル基又はシクロヘキシル基を表わし、
Ｒ15は水素原子又はメチル基を表わし、及びもしも基Ｒ14及びＲ15が２個又はそれ以上存在するならば、これらの基は同一であるか異なり、
Ｘ及びＹは各々、直接結合又は酸素原子を表わし、
Ｚは直接結合、メチレン基、−Ｃ（Ｒ16）2−又は硫黄原子を表わし、
Ｒ16は炭素原子数１ないし８のアルキル基を表わす。］で表わされるホスフィット及び／又はホスホナイト安定剤；
ｈ）式（ＶＩＩＩ）
【化１３】
2004526837.tif 000013
［式中、Ｒ1’及びＲ2’は独立して、炭素原子数４ないし１８の直鎖又は枝分かれ鎖アルキル基、炭素原子数５ないし１２のシクロアルキル基、又は炭素原子数７ないし１５のフ
ェニルアルキル基を表わし、及び
Ｒ3’は、２−、３−又は４−ピリジル基；２−又は３−チエニル基；２−又は３−ピリール基（ｐｙｒｒｙｌ）；２−又は３−フリル基；炭素原子数６ないし１０のアリール基；又は、１ないし３個の炭素原子数１ないし８のアルキル基、炭素原子数１ないし８のアルコキシ基、炭素原子数１ないし８のアルキルチオ基、炭素原子数１ないし８のアルキルアミノ基、炭素原子数２ないし８のジアルキルアミノ基、炭素原子数２ないし８のアルコキシカルボニル基、ヒドロキシ基、ニトロ基、アミノ基、シアノ基、カルボキシ基、アミノカルボニル基、塩素、又は上記置換基の混合物によって置換された前記アリール基を表わすか；又は、
Ｒ3’は−ＣＮ、−ＣＯＯＨ，−ＣＯＯＲ4’，−ＣＯＲ5’，−ＯＣＯＲ6’，−ＣＯＮＲ7’Ｒ 8’又は−PＯ（ＯＲ9’）2（式中、Ｒ4’は炭素原子数１ないし１８のアルキル基、炭素原子数５ないし１２のシクロアルキル基、フェニル基又はベンジル基を表わし、
Ｒ5’は炭素原子数１ないし１８のアルキル基、炭素原子数６ないし１０のアリール基、又は１もしくは２個の炭素原子数１ないし４のアルキル基によって、もしくはヒドロキシル基によって置換された前記アリール基を表わし、
Ｒ6’は炭素原子数１ないし１８のアルキル基、炭素原子数６ないし１０のアリール基、又は１もしくは２個の炭素原子数１ないし４のアルキル基によって、もしくはヒドロキシル基によって置換された前記アリール基を表わし、
Ｒ7’及びＲ8’は独立して、水素原子、炭素原子数１ないし１８のアルキル基、又は炭素原子数１ないし４のアルキルアミノ基によって、炭素原子数２ないし８のジアルキルアミノ基によって、又はヒドロキシル基によって置換された前記アルキル基；ベンジル基、炭素原子数６ないし１０のアリール基、又は炭素原子数１ないし４のアルキル基によって、炭素原子数１ないし４のアルキルアミノ基によって、炭素原子数２ないし８のジアルキルアミノ基によって、フェニルアミノ基によって、もしくはヒドロキシル基によって置換された前記アリール基を表わすか、又は、
−ＮＲ7’Ｒ 8’は、モルフォリノ基、ピペリジノ基又はピロリジノ基を表わし、及び
Ｒ9’は水素原子又は炭素原子数１ないし１８のアルキル基を表わす。）を表わす。］で表わされるキノンメチド安定剤；
ｊ）式（ＩＸ）
【化１４】
2004526837.tif 000014
（式中、Ｒ40、Ｒ41、Ｒ42、Ｒ43及びＲ44は独立して、炭素原子数１ないし１８の直鎖又は枝分かれ鎖アルキル基、炭素原子数５ないし１２のシクロアルキル基、又は炭素原子数７ないし１５のフェニルアルキル基を表わす。）で表わされるモノアクリレートエステルから選択される請求項１記載の組成物。
【請求項３】
相乗混合物（Ｂ）の成分（ｉ．）が、
ａ）ビス（１−オキシル−２，２，６，６−テトラメチルピペリジン−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テト
ラメチルピペリジン、１−オキシル−２，２，６，６−テトラメチルピペリジン−４−オン、１−オキシル−２，２，６，６−テトラメチルピペリジン−４−イルアセテート、１−オキシル−２，２，６，６−テトラメチルピペリジン−４−イル ２−エチルヘキサノエート、１−オキシル−２，２，６，６−テトラメチルピペリジン−４−イルステアレート、１−オキシル−２，２，６，６−テトラメチルピペリジン−４−イルベンゾエート、１−オキシル−２，２，６，６−テトラメチルピペリジン−４−イル４−第３ブチル−ベンゾエート、ビス（１−オキシル−２，２，６，６−テトラメチルピペリジン−４−イル）スクシネート、ビス（１−オキシル−２，２，６，６−テトラメチルピペリジン−４−イル）アジペート、ビス（１−オキシル−２，２，６，６−テトラメチルピペリジン−４−イル）ｎ−ブチルマロネート、ビス（１−オキシル−２，２，６，６−テトラメチルピペリジン−４−イル）フタレート、ビス（１−オキシル−２，２，６，６−テトラメチルピペリジン−４−イル）イソフタレート、ビス（１−オキシル−２，２，６，６−テトラメチルピペリジン−４−イル）テレフタレート、ビス（１−オキシル−２，２，６，６−テトラメチルピペリジン−４−イル）ヘキサヒドロテレフタレート、Ｎ，Ｎ’−ビス（１−オキシル−２，２，６，６−テトラメチルピペリジン−４−イル）アジパミド、Ｎ−（１−オキシル−２，２，６，６−テトラメチルピペリジン−４−イル）カプロラクタム、Ｎ−（１−オキシル−２，２，６，６−テトラメチルピペリジン−４−イル）ドデシルスクシンイミド、２，４，６−トリス−[Ｎ−ブチル−Ｎ−（１−オキシル−２，２，６，６−テトラメチルピペリジン−４−イル）]−ｓ−トリアジン、４，４’−エチレンビス（１−オキシル−２，２，６，６−テトラメチルピペラジン−３−オン）、２−オキシル−１，１，３，３−テトラメチル−２−イソベンザゾール、１−オキシル−２，２，５，５−テトラメチルピロリジン及びＮ，Ｎ−ビス−（１，１，３，３−テトラメチルブチル）ニトロキシドからなる群から選択されるニトロキシル安定剤；
ｂ）式（Ｉ）（式中、Ｔ1及びＴ2は独立して、ベンジル基、メチル基，エチル基、オクチル基、ラウリル基、ドデシル基、テトラデシル基、ヘキサデシル基、ヘプタデシル基又はオクタデシル基を表わすか、又はＴ1及びＴ2は各々、水素化牛脂アミン中に見られるようなアルキル混合物を表わす。）で表わされるヒドロキシルアミン安定剤；
ｃ）Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ−メチル−α−ヘプタデシルニトロン及びＮ，Ｎ−ジ（水素化牛脂）ヒドロキシルアミンから誘導されたニトロンからなる群から選択されたニトロン；
ｄ）式（ＩＶ）、（Ｖ）及び（ＶＩ）
【化１５】
2004526837.tif 000015
｛式（ＩＶ）で表わされる化合物において、
ａは１ないし４を表わし；
Ｒ’及びＲ’’は独立して、水素原子、炭素原子数１ないし３６のアルキル基、炭素原子数５ないし１２のシクロアルキル基、炭素原子数７ないし９のアラルキル基、又は炭素原子数１ないし３６のアルキル基によって置換された前記アラルキル基を表わし、
Ｒb及びＲcは独立して、水素原子又は炭素原子数１ないし１２のアルキル基を表わし；
ａ＝１の場合、Ａは、基ＮＨＲd［式中、Ｒdは水素原子、アミノ基、炭素原子数１ないし１８のアルキル基、又は
【化１６】
2004526837.tif 000016
（式中、Ｂは、直接結合又は炭素原子数１ないし１０のアルキレン基を表わす。）を表わす。］を表わし；
ａ＝２の場合、Ａは、窒素原子上に自由な原子価を有し、環内に２個の窒素原子を含む５ないし７員の複素環式化合物の２価の基を表わすか、又は基−Ｎ（Ｒd）−Ｂ−Ｎ（Ｒd）−（式中、Ｂ及びＲdは、上記の意味を有する。）を表わし；
ａ＝３の場合、Ａは、次式
【化１７】
2004526837.tif 000017
（式中、ｎは２ないし６を表わし、Ｒeは、水素原子又は炭素原子数１ないし４のアルキル基を表わす。）で表わされる基を表わし；及び
ａ＝４の場合、Ａは、次式
【化１８】
2004526837.tif 000018
で表わされる基を表わし；
式（Ｖ）で表わされる化合物において、Ｒf、Ｒg、Ｒh及びＲiは独立して、水素原子、炭素原子数１ないし３６のアルキル基、炭素原子数５ないし１２のシクロアルキル基、炭素原子数７ないし９のアラルキル基、又は炭素原子数１ないし３６のアルキル基によって置換された前記アラルキル基；及び、それらのアルカリ金属及びアルカリ土類金属塩を表わし；
式（ＶＩ）で表わされる化合物において、
Ｒj及びＲkは独立して、炭素原子数１ないし３６のアルキル基、炭素原子数５ないし１２のシクロアルキル基、炭素原子数７ないし９のアラルキル基又は、炭素原子数１ないし３６のアルキル基によって置換された前記アラルキル基を表わすか、又はＲj及びＲkは窒素原子と一緒になって、５ないし７ 員の複素環式環を形成し得るか、又はＲj及びＲkは独立して、次式
【化１９】
2004526837.tif 000019
で表わされる基を表わし、
Ｒl、Ｒm、Ｒn、Ｒo及びＲpは独立して、水素原子、炭素原子数１ないし３６のアルキル基、炭素原子数５ないし１２のシクロアルキル基、アリル基、アリール基、炭素原子数７ないし９のアラルキル基、炭素原子数１ないし３６のアルキル基によって置換された前記アラルキル基、ボルニル基、ノルボルニル基又はイソボルニル基を表わすか、又は、Ｒm及びＲnは窒素原子と一緒になって、５ないし７員の複素環式環を形成し得；
ｂは１ないし４を表わし；
ｘは０ないし５を表わし；
ＴaはＲl又は−ＣＨ（Ｒl）−Ｏ−Ｎ（Ｒj）（Ｒk）を表わし；
ｂ＝１の場合、ＴbはＲ1又は５ないし７員の不飽和複素環置換（炭素原子数１ないし４）アルキル基を表わすか、又はＴa及びＴbは窒素原子と一緒になって、５ないし７員の飽和複素環式環を形成し得；
ｂ=２の場合、Ｔbは炭素原子数２ないし１２のアルキレン基、炭素原子数６ないし１０のシクロアルキレン基、炭素原子数６ないし１０のアリーレン基、又は炭素原子数８ないし１０のアルキレンアリーレンアルキレン基を表わすか、又はＴa及びＴbは２個の窒素原子と一緒になって、５ないし７員の飽和複素環式環を形成し得；
ｂ=３の場合、Ｔbは炭素原子数３ないし６のアルカントリイル基を表わすか、又はＴa及びＴbは３個の窒素原子と一緒になって、５ないし６員の飽和複素環式環を形成し得；及び
ｂ=４の場合、Ｔbは炭素原子数４ないし６のアルカンテトリイル基を表わす。｝で表わされる化合物からなる群から選択されたヒドロキシルアミン；
ｅ）式（ＶＩＩ）（式中、Ｇ1及びＧ2は独立して、炭素原子数８ないし２６のアルキル基を表わし、Ｇ3はメチル基を表わす。）で表わされるアミンオキシド安定剤；
ｆ）３−（４−（２−アセトキシエトキシ）フェニル）−５，７−ジ−第３−ブチル−ベンゾフラン−２−オン、５，７−ジ−第３−ブチル−３−（４−（２−ステアロイルオキシエトキシ）フェニル）ベンゾフラン−２−オン、３，３’−ビス（５，７−ジ−第３−ブチル−３−（４−（２−ヒドロキシエトキシ）フェニル）ベンゾフラン−２−オン），５，７−ジ−第３−ブチル−３−（４−エトキシフェニル）ベンゾフラン−２−オン、３−（４−アセトキシ−３，５−ジメチルフェニル）−５，７−ジ−第３−ブチル−ベンゾフラン−２−オン、３−（３，５−ジメチル−４−ピバロイルオキシフェニル）−５，７−ジ−第３−ブチル−ベンゾフラン−２−オン、３−（３，４−ジメチルフェニル）−５，７−ジ−第３−ブチル−ベンゾフラン−２−オン及び３−（２，３−ジメチルフェニル）−５，７−ジ−第３−ブチル−ベンゾフラン−２−オンからなる群から選択されるベンゾフラノン安定剤；
ｇ）トリフェニルホスフィット、トリス（ノニルフェニル）ホスフィット、トリラウリルホスフィット、トリオクタデシルホスフィット、ジステアリルペンタエリトリトールジホスフィット、トリス（２，４−ジ−第３−ブチルフェニル）ホスフィット、ジイソデシルペンタエリトリトールジホスフィット、ビス（２，４−ジ−第３−ブチルフェニル）ペンタエリトリトールジホスフィット、ビス（２，６−ジ−第３−ブチル−４−メチルフェニル）ペンタエリトリトールジホスフィット、ビスイソデシルオキシペンタエリトリトールジホスフィット、ビス（２，４−ジ−第３−ブチル−６−メチルフェニル）ペンタエリトリトールジホスフィット、ビス（２，４，６−トリ−第３−ブチルフェニル）ペンタエリトリトールジホスフィット、トリステアリルソルビトールトリホスフィット、テトラキス−（２，４−ジ−第３−ブチルフェニル）４，４’−ビフェニレン−ジホスホナイト、６−イソオクチルオキシ−２，４，８，１０−テトラ−第３−ブチル−ジベンゾ［ｄ，ｆ］［１，３，２］ジオキサホスフェピン（ｐｈｏｓｐｈｅｐｉｎ）、６−フルオロ−２，４，８，１０−テトラ−第３−ブチル−１２−メチル−ジベンゾ［ｄ，ｇ］［１，３，２］ジオキサホスホシン、ビス（２，４−ジ−第３−ブチル−６−メチルフェニル）メチルホスフィット、ビス（２，４−ジ−第３−ブチル−６−メチルフェニル）エチルホスフィット及び２，２’，２’’−ニトリロ［トリエチルトリス（３，３’５，５’−テトラ−第３−ブチル−１，１’−ビフェニル−２，２’−ジイル）ホスフィット］、
【化２０】
2004526837.tif 000020
からなる群から選択されるホスフィット及びホスホナイト；
ｈ）（３，５−ジ−第３−ブチル−４−オキソシクロヘキサ−２，５−ジエニリデン）アセトニトリル、
（３，５−ジ−第３−ブチル−４−オキソシクロヘキサ−２，５−ジエニリデン）酢酸、（３，５−ジ−第３−アミル−４−オキソシクロヘキサ−２，５−ジエニリデン）酢酸、メチル（３，５−ジ−第３−ブチル−４−オキソシクロヘキサ−２，５−ジエニリデン）アセテート、
エチル（３，５−ジ−第３−ブチル−４−オキソシクロヘキサ−２，５−ジエニリデン）
アセテート、
ｎ−ブチル（３，５−ジ−第３−ブチル−４−オキソシクロヘキサ−２，５−ジエニリデン）アセテート、
２，６−ジ−第３−ブチル−４−（２−オキソプロピリデン）−シクロヘキサ−２，５−ジエノン、
ジエチル（３，５−ジ−第３−ブチル−４−オキソシクロヘキサ−２，５−ジエニリデン）メタンホスホネート、
（３，５−ジ−第３−ブチル−４−オキソシクロヘキサ−２，５−ジエニリデン）メチルアセテート、
（３，５−ジ−第３−ブチル−４−オキソシクロヘキサ−２，５−ジエニリデン）メチルピバレート、
（３，５−ジ−第３−ブチル−４−オキソシクロヘキサ−２，５−ジエニリデン）メチルベンゾエート、及び
Ｎ，Ｎ−ジエチル−２−（３，５−ジ−第３−ブチル−４−オキソシクロヘキサ−２，５−ジエニリデン）アセトアミド、
２，６−ジ−第３−ブチル−４−ベンジリデン−シクロヘキサ−２，５−ジエノン、
２，６−ジ−第３−ブチル−４−（４−ニトロベンジリデン）−シクロヘキサ−２，５−ジエノン、
２，６−ジ−第３−ブチル−４−（３−ニトロベンジリデン）−シクロヘキサ−２，５−ジエノン、
２，６−ジ−第３−ブチル−４−（４−シアノベンジリデン）−シクロヘキサ−２，５−ジエノン、
２，６−ジ−第３−ブチル−４−（４−ジメチルアミノベンジリデン）−シクロヘキサ−２，５−ジエノン、
２，６−ジ−第３−アミル−４−ベンジリデン−シクロヘキサ−２，５−ジエノン、
２，６−ジ−第３−ブチル−４−（４−メトキシベンジリデン）−シクロヘキサ−２，５−ジエノン、及び
２，６−ジ−第３−ブチル−４−（３，５−ジ−第３−ブチル−４−ヒドロキシベンジリデン）−シクロヘキサ−２，５−ジエノンからなる群から選択されるキノンメチド安定剤；
ｊ）２，２’−メチレンビス（６−第３−ブチル−４−メチルフェノール）、２，２’−メチレンビス（６−第３−ブチル−４−エチルフェノール）、２，２’−メチレンビス［４−メチル−６−（ａ−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第３−ブチルフェノール）、２，２’−エチリデンビス（４，６−ジ−第３−ブチルフェノール）、２，２’−エチリデンビス（６−第３−ブチル−４−イソブチルフェノール）、２，２’−メチレンビス［６−（ａ−メチルベンジル）−４−ノニルフェノール］、２，２’−メチレンビス［６−（ａ，ａ−ジメチルベンジル）−４−ノニルフェノール］、２，６−ビス（３−第３−ブチル−５−メチル−２−ヒドロキシベンジル）−４−メチルフェノール及び１，１−ビス−（３，５−ジメチル−２−ヒドロキシフェニル）ブタンからなる群から選択されるモノアクリレートエステル
から選択される請求項２記載の組成物。
【請求項４】
相乗混合物（Ｂ）の成分（ｉ．）が
ａ）ニトロキシル安定剤；
ｂ）Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジドデシルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ
−ヘキサデシル−Ｎ−テトラデシルヒドロキシルアミン、Ｎ−ヘキサデシル−Ｎ−ヘプタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン及びＮ，Ｎ−ジ（水素化牛脂）ヒドロキシルアミンからなる群から選択されるＮ，Ｎ−ジヒドロカルビルヒドロキシルアミン；
ｆ）次式
【化２１】
2004526837.tif 000021
からなる群から選択されるベンゾフラノン安定剤
から選択される請求項３記載の組成物。
【請求項５】
相乗混合物（Ｂ）の成分（ｉｉ．）が、少なくとも
テトラフェニルレゾルシノールジホスフィット、
クロロアルキルホスフェートエステル、
ポリ臭素化ジフェニルオキシド、
デカブロモジフェニルオキシド、
アンチモントリオキシド、
アンチモンペントオキシド、
トリス［３−ブロモ−２，２−ビス（ブロモメチル）プロピル］ホスフェート、
トリフェニルホスフェート、
ビスフェノールＡのビス（２，３−ジブロモプロピルエーテル）、
アンモニウムポリホスフェート、
レゾルシノールジホスフェートオリゴマー、
臭素化エポキシ樹脂、
エチレン−ビス（テトラブロモフタルイミド）、
ビス（ヘキサクロロシクロペンタジエノ）シクロオクタン、
硫酸カルシウム、
塩素化パラフィン、
炭酸マグネシウム、
メラミンホスフェート、
メラミンピロホスフェート、
モリブデントリオキシド、
酸化亜鉛、
１，２−ビス（トリブロモフェノキシ）エタン、
テトラブロモ−ビスフェノールＡ、
水酸化マグネシウム、
アルミナ三水和物、
ホウ酸亜鉛、
エチレンジアミンジホスフェート、
シリカ、
シリコン、
珪酸カルシウム
珪酸マグネシウム及び
エチレンビス−（ジブロモ−ノルボルナンジカルボキシイミド）
からなる群から選択される化合物の少なくとも１つである請求項１記載の組成物。